(57)【要約】【課題】  音声入力された文書をペン操作で修正することにより、ユーザの作業負担を軽減することを目的とする。【解決手段】  表示部に表示された文字列のうち、修正したい文字列をペン等で指定する（Ｓ０１）。その文字列内の文字データに付与されている識別情報が検知され（Ｓ０２）、何れの入力方法で入力された文字列なのか判断される（Ｓ０３）。音声入力された文字データが含まれている場合は（Ｓ０４、Ｙｅｓ）、音声認識候補とペン入力欄とが表示部に表示される（Ｓ０５）。修正したい文字を選択すると、修正箇所の文字と置き換えられる（Ｓ０６）。また、ペン入力欄に直接、文字を入力することもできる（Ｓ０６）。一方、音声入力された文字データが含まれていない場合は（Ｓ０４、Ｎｏ）、ペン入力欄のみが表示部に表示され（Ｓ０７）、ペン入力欄に直接、文字を入力する（Ｓ０８）。【選択図】      図２
2005284834.tif 000002
【特許請求の範囲】
【請求項１】
画像診断装置のモニタ上の医用画像を読影しながら診療所見レポートを作成するための文書入力装置であって、
前記診療所見レポートに書き込む情報を音声により入力する音声入力手段と、
前記音声入力手段により入力された音声を認識処理して文字列に変換する変換手段と、
ペン入力により情報を入力するペン入力手段と、
前記変換手段により変換された文字列、又は前記ペン入力手段により入力された文字列のうち、少なくとも一方を表示する表示手段と、
前記表示手段により表示された文字列の所定の領域を指定する指定手段と、
前記指定手段により指定された範囲に、音声により入力された文字列が含まれているか否かを判断する判断手段と、
前記判断手段により、前記指定された範囲に音声により入力された文字列が含まれていると判断された場合は、前記指定された範囲の文字列を修正するための修正候補一覧を含む修正データを前記表示手段に選択可能に表示させるとともに、前記ペン入力手段による情報を入力するためのペン入力欄を前記表示手段に表示させ、
前記判断手段により、前記指定された範囲に音声により入力された文字列が含まれていないと判断された場合は、前記ペン入力欄を前記表示手段に表示させる表示制御手段と、
を有することを特徴とする文書入力装置。
【請求項２】
前記修正候補一覧を含む修正データが選択された場合、又は前記ペン入力手段により情報が入力された場合、
前記表示制御手段は、前記指定された範囲内の文字列を、前記選択された修正データ、又は前記ペン入力手段により入力された修正するための情報に置き換えて前記表示手段に表示させることを特徴とする請求項１に記載の文書入力装置。
【請求項３】
前記判断手段は、前記指定手段により指定された範囲に、音声により入力された複数の単語が含まれているか否かを判断し、
前記判断手段により、前記指定された範囲に音声により入力された複数の単語が含まれていると判断された場合は、前記表示制御手段は、単語ごとに、前記修正データと前記ペン入力欄とを前記表示手段に表示させることを特徴とする請求項１に記載の文書入力装置。
【請求項４】
前記修正データと前記ペン入力欄とが前記表示手段に表示された後に、前記ペン入力手段により情報が入力された場合は、前記表示制御手段は、前記ペン入力欄のみを前記表示手段に表示させることを特徴とする請求項３に記載の文書入力装置。
【請求項５】
前記判断手段は、前記指定手段により指定された範囲の先頭が、音声により入力された文字列か否かを判断し、
前記判断手段により、前記指定された範囲の先頭が、音声により入力された文字列ではないと判断された場合は、前記表示制御手段は、前記ペン入力欄を前記表示手段に表示させることを特徴とする請求項１に記載の文書入力装置。
【請求項６】
診療所見レポートに書き込む情報を音声により入力する音声入力手段と、前記音声入力手段により入力された音声を認識処理して文字列に変換する変換手段と、ペン入力により情報を入力するペン入力手段と、前記変換手段により変換された文字列、又は前記ペン入力手段により入力された文字列のうち、少なくとも一方を表示する表示手段と、前記表示手段に表示された文字列の所定の領域を指定する指定手段と、を備えた文書入力装置に、
前記指定手段により指定された範囲に、音声により入力された文字列が含まれているか否かの判断をする判断機能と、
前記判断機能により、前記指定された範囲に音声により入力された文字列が含まれていると判断された場合は、前記指定された範囲の文字列を修正するための修正候補一覧を含む修正データを前記表示手段に選択可能に表示させるとともに、前記ペン入力手段による情報を入力するためのペン入力欄を前記表示手段に表示させ、
前記判断機能により、前記指定された範囲に音声により入力された文字列が含まれていないと判断された場合は、前記ペン入力欄を前記表示手段に表示させる表示制御機能と、
を実行させることを特徴とする文書入力プログラム。
【請求項７】
前記修正候補一覧を含む修正データが選択された場合、又は前記ペン入力手段により情報が入力された場合、
前記表示制御機能は、前記指定された範囲内の文字列を、前記選択された修正データ、又は前記ペン入力手段により入力された情報に置き換えて前記表示手段に表示させることを特徴とする請求項６に記載の文書入力プログラム。
【請求項８】
前記判断機能は、前記指定手段により指定された範囲に、音声により入力された複数の単語が含まれているか否かを判断し、
前記判断機能により、前記指定された範囲に音声により入力された複数の単語が含まれていると判断された場合は、前記表示制御機能は、単語ごとに、前記修正データと前記ペン入力欄とを前記表示手段に表示させることを特徴とする請求項６に記載の音声入力プログラム。
【請求項９】
前記修正データと前記ペン入力欄とが前記表示手段に表示された後に、前記ペン入力手段により情報が入力された場合は、前記表示制御機能は、前記ペン入力欄のみを前記表示手段に表示させることを特徴とする請求項８に記載の文書入力プログラム。
【請求項１０】
前記判断機能は、前記指定手段により指定された範囲の先頭が、音声により入力された文字列か否かを判断し、
前記判断機能により、前記指定された範囲の先頭が、音声により入力された文字列ではないと判断された場合は、前記表示制御機能は、前記ペン入力欄を前記表示手段に表示させることを特徴とする請求項６に記載の文書入力プログラム。
【請求項１１】
請求項６乃至請求項１０のいずれかに記載の文書入力プログラムを記録した記録媒体。
【請求項１２】
診療所見レポートに書き込む情報を音声により情報を入力する音声入力手段と、前記音声入力手段により入力された音声を認識処理して文字列に変換する変換手段と、ペン入力により情報を入力するペン入力手段と、前記変換手段により変換された文字列、又は前記ペン入力手段により入力された文字列のうち、少なくとも一方を表示する表示手段と、前記表示手段に表示された文字列の所定の領域を指定する指定手段と、を備えた文書入力装置の文書入力方法であって、
前記指定手段により指定された範囲に、音声により入力された文字列が含まれているか否かの判断をする判断ステップと、
前記判断ステップにおいて、前記指定された範囲に音声により入力された文字列が含まれていると判断された場合は、前記指定された範囲の文字列を修正するための修正候補一覧を含む修正データを前記表示手段に選択可能に表示するとともに、前記ペン入力手段による情報を入力するためのペン入力欄を前記表示手段に表示し、
前記指定された範囲に音声により入力された文字列が含まれていないと判断された場合は、前記ペン入力欄を前記表示手段に表示する表示ステップと、
を有することを特徴とする文書入力方法。
【発明の詳細な説明】
【技術分野】
【０００１】
この発明は、医療診断又は医療検査を行う専門医の診療所見レポートを作成する文書入力装置に関し、特に、音声認識により入力した文書を修正する技術に関する。
【背景技術】
【０００２】
病院等の医療施設においては、医師は、必要に応じてＸ線間接撮影装置、ＣＴ断層撮影装置、ＭＲＩ断層撮影装置、超音波診断装置、脳波測定装置、又は心電図装置等の医療検査装置を用いて、患者の検査を行う。このような医用機器を用いた検査を行った場合、医師は患者に対してどのような検査を行ったか等を示す診療所見レポートを作成する必要がある。
【０００３】
診療所見レポートとは、具体的には、上記の医療検査装置により撮影又は計測された患者の画像や検査データ等の医療情報を医師が読影し、又は観察、診断、検討等をして、診療所見を記述した報告書のことをいう。
【０００４】
しかし、医師が検査画像の読影を行いながら、その都度診療結果の所見をワープロ、コンピュータ、又は手書き等で文書化する場合、文書化の度に専門医は画像から目を離すので、読影だけに集中できない。また、読影と診療の仕事と文書作成の仕事とは全く形態の異なる別の作業であり、両方を交互又は同時に行うことは作業効率と診断の正確性の点で好ましくない。
【０００５】
一方、読影を全て完了した後に、改めて医師の所見を文書化する場合では、読影の際の判断結果を全て記憶している必要があり、ワープロ等で正確に文書化しなければならない。しかし、そのような正確性を満たすことは困難である。
【０００６】
また、診療所見レポートはワープロやコンピュータ等を用いて作成されるが、キーボード入力に馴染みがない医師には、文書を入力する作業自体が大きな負担となっており、作業効率の点で好ましくない。
【０００７】
そこで、検査画像を読影中に検査画像から目を離すことなく、診療所見レポートを作成するために、音声認識による文書の入力が可能な文書入力装置が導入されるようになった（例えば、特許文献１）。診療所見レポート作成等の文書入力作業において、音声認識システムは、キーボード入力に馴染みがない医師の文書入力作業を支援し、文書の入力速度を向上させ、作業の効率化を図ることができる。また、近年のコンピュータの高速化及び高性能化に伴い、検索の性能や辞書の語彙数の向上も進み、音声の認識率も向上している。
【０００８】
【特許文献１】特開２００２−２１５７９６号公報（段落［００１２］−［００３４］）
【発明の開示】
【発明が解決しようとする課題】
【０００９】
音声認識による文書入力技術は上述のように近年目覚しい進歩を遂げ、音声の認識率も向上しているが、必ずしも認識率が１００％になるわけではない。一般的に、音声認識による文書の入力においては、音声により文書を入力した後、誤認識した部分をキーボード等で再度入力して修正する必要がある。
【００１０】
しかしながら、誤認識した部分をキーボード入力で修正する必要があるならば、そもそもキーボード入力に馴染みがない医師のために音声認識による文書入力装置を導入した意義が薄れてしまう。結局、キーボード入力を行う必要があり、そのことが、キーボード入力に馴染みがない医師が音声認識による文書入力装置を使用する妨げとなってしまう。
【００１１】
このように、音声認識による文書入力のワークフロー（音声による文書の入力、入力内容の確認、修正）全体を管理・制御する文書入力装置やアプリケーションソフトや文書入力方法が確立されておらず、医師等のユーザは、音声認識による文書入力システムの導入を躊躇している。
【００１２】
この発明は上記の問題を解決するものであり、音声認識により入力された文書を、ペンを用いた操作で修正することにより、キーボード入力に馴染みがない医師の作業負担を軽減することを目的とする。そして、ペンを用いて修正することにより、直感的な操作を可能とし、修正のための文書入力作業を削減して、作業の効率化を図ることを目的とする。
【課題を解決するための手段】
【００１３】
請求項１に記載の発明は、画像診断装置のモニタ上の医用画像を読影しながら診療所見レポートを作成するための文書入力装置であって、前記診療所見レポートに書き込む情報を音声により入力する音声入力手段と、前記音声入力手段により入力された音声を認識処理して文字列に変換する変換手段と、ペン入力により情報を入力するペン入力手段と、前記変換手段により変換された文字列、又は前記ペン入力手段により入力された文字列のうち、少なくとも一方を表示する表示手段と、前記表示手段により表示された文字列の所定の領域を指定する指定手段と、前記指定手段により指定された範囲に、音声により入力された文字列が含まれているか否かを判断する判断手段と、前記判断手段により、前記指定された範囲に音声により入力された文字列が含まれていると判断された場合は、前記指定された範囲の文字列を修正するための修正候補一覧を含む修正データを前記表示手段に選択可能に表示させるとともに、前記ペン入力手段による情報を入力するためのペン入力欄を前記表示手段に表示させ、前記判断手段により、前記指定された範囲に音声により入力された文字列が含まれていないと判断された場合は、前記ペン入力欄を前記表示手段に表示させる表示制御手段と、を有することを特徴とする文書入力装置である。
【００１４】
医師等のユーザは、画像診断装置のモニタに表示されている医用画像（例えば、超音波診断画像、ＣＴ診断画像、ＭＲＩ診断画像等）を読影しながら診療所見レポートを作成する。その際、医師等のユーザは、音声入力、キーボード入力、又はペン入力のうち、少なくとも１つの方法により、所見を文書入力装置に入力する。音声により入力された文書（所見）は音声認識処理され、文字列に変換されてモニタ等からなる表示手段に表示され、その他の入力方法によって入力された文書（所見）も文字列に変換されて表示手段に表示される。
【００１５】
そして、表示手段に表示された文書中に修正したい箇所がある場合は、指定手段によりその修正したい箇所を指定する。この指定手段は、ペン入力手段で構成されていても良い。その場合、ペンを表示手段の画面に押し当てて、修正したい箇所を指定する。ペン入力以外にも、例えば、マウス操作によって指定することも可能である。このように、修正したい箇所を指定すると、ペン入力欄が表示手段の画面に表示され、更に、指定された箇所に音声入力による文字列が含まれている場合は、修正データも同時に表示される。
【００１６】
修正データとは、現在表示手段の画面に表示されている文字列の次候補であり、ユーザはこの次候補の中から所望の文字列を選択することになる。ユーザは、修正データ（次候補欄）からの選択又はペン入力による修正により、修正したい箇所を修正する。このように、修正データ又はペン入力により修正することができ、キーボード入力により修正する必要がないため、キーボード入力に馴染みがないユーザの作業負担を軽減することが可能となる。
【００１７】
一方、指定された箇所に音声入力による文字列が含まれていない場合は、修正データ（次候補欄）は表示されず、ペン入力欄のみが表示される。これは、音声以外の方法（例えば、キーボード入力やペン入力）により文書が入力されているため、次候補を挙げなくても、ユーザはキーボード又はペンにより文書を入力すると考えられるからである。このように、ユーザの使用形態に合致させ、操作性を向上させるために、音声入力による文字列が含まれない場合は、ペン入力欄のみを表示させることにしている。
【００１８】
請求項２に記載の発明は、請求項１に記載の文書入力装置であって、前記修正候補一覧を含む修正データが選択された場合、又は前記ペン入力手段により情報が入力された場合、前記表示制御手段は、前記指定された範囲内の文字列を、前記選択された修正データ、又は前記ペン入力手段により入力された修正するための情報に置き換えて前記表示手段に表示させることを特徴とするものである。
【００１９】
請求項３に記載の発明は、請求項１に記載の文書入力装置であって、前記判断手段は、前記指定手段により指定された範囲に、音声により入力された複数の単語が含まれているか否かを判断し、前記判断手段により、前記指定された範囲に音声により入力された複数の単語が含まれていると判断された場合は、前記表示制御手段は、単語ごとに、前記修正データと前記ペン入力欄とを前記表示手段に表示させることを特徴とするである。
【００２０】
指定手段により指定された範囲内に、複数の単語が含まれている場合は、単語ごとに修正データとペン入力欄とを表示する。音声入力により入力された単語については、両方を表示させるが、音声以外、例えば、キーボード入力又はペン入力により入力された単語については、上述のように、ペン入力欄のみを表示させる。この理由は、上述した通りであり、ユーザの使用形態に合致し、文書入力装置の操作性が向上するからである。
【００２１】
請求項４に記載の発明は、請求項３に記載の文書入力装置であって、前記修正データと前記ペン入力欄とが前記表示手段に表示された後に、前記ペン入力手段により情報が入力された場合は、前記表示制御手段は、前記ペン入力欄のみを前記表示手段に表示させることを特徴とするものである。
【００２２】
ユーザは、一度ペン入力により文書を入力すると、選択範囲の最後までペンによる入力を行うと考えられる。従って、ペン入力手段により情報が入力された場合は、その後においては、ペン入力欄のみを表示させてペン入力のみを可能とし、ユーザの使用形態に合致させて、文書入力装置の操作性を向上させている。
【００２３】
請求項５に記載の発明は、請求項１に記載の文書入力装置であって、前記判断手段は、前記指定手段により指定された範囲の先頭が、音声により入力された文字列か否かを判断し、前記判断手段により、前記指定された範囲の先頭が、音声により入力された文字列ではないと判断された場合は、前記表示制御手段は、前記ペン入力欄を前記表示手段に表示させることを特徴とするものである。
【００２４】
上述の様に、音声以外により入力された場合は、ペン入力欄のみが表示される。指定された範囲の先頭が、音声により入力された文字列ではない場合は、ペン入力欄のみが表示され、ユーザはペン入力により文書を修正する。上述の様に、ユーザは、一度ペン入力を行うと、その後もペン入力を行うと考えられる。先頭が音声入力ではない場合は、必然的に、ペン入力が開始されるため、その後は、ペン入力欄のみを表示させることにしている。この方が、ユーザの使用形態に合致し、文書入力装置の操作性が向上するからである。
【００２５】
請求項６に記載の発明は、診療所見レポートに書き込む情報を音声により入力する音声入力手段と、前記音声入力手段により入力された音声を認識処理して文字列に変換する変換手段と、ペン入力により情報を入力するペン入力手段と、前記変換手段により変換された文字列、又は前記ペン入力手段により入力された文字列のうち、少なくとも一方を表示する表示手段と、前記表示手段に表示された文字列の所定の領域を指定する指定手段と、を備えた文書入力装置に、前記指定手段により指定された範囲に、音声により入力された文字列が含まれているか否かの判断をする判断機能と、前記判断機能により、前記指定された範囲に音声により入力された文字列が含まれていると判断された場合は、前記指定された範囲の文字列を修正するための修正候補一覧を含む修正データを前記表示手段に選択可能に表示させるとともに、前記ペン入力手段による情報を入力するためのペン入力欄を前記表示手段に表示させ、前記判断機能により、前記指定された範囲に音声により入力された文字列が含まれていないと判断された場合は、前記ペン入力欄を前記表示手段に表示させる表示制御機能と、を実行させることを特徴とする文書入力プログラムである。
【００２６】
請求項７に記載の発明は、請求項６に記載の文書入力プログラムであって、前記修正候補一覧を含む修正データが選択された場合、又は前記ペン入力手段により情報が入力された場合、前記表示制御機能は、前記指定された範囲内の文字列を、前記選択された修正データ、又は前記ペン入力手段により入力された情報に置き換えて前記表示手段に表示させることを特徴とするものである。
【００２７】
請求項８に記載の発明は、請求項６に記載の文書入力プログラムであって、前記判断機能は、前記指定手段により指定された範囲に、音声により入力された複数の単語が含まれているか否かを判断し、前記判断機能により、前記指定された範囲に音声により入力された複数の単語が含まれていると判断された場合は、前記表示制御機能は、単語ごとに、前記修正データと前記ペン入力欄とを前記表示手段に表示させることを特徴とするものである。
【００２８】
請求項９に記載の発明は、請求項８に記載の文書入力プログラムであって、前記修正データと前記ペン入力欄とが前記表示手段に表示された後に、前記ペン入力手段により情報が入力された場合は、前記表示制御機能は、前記ペン入力欄のみを前記表示手段に表示させることを特徴とするものである。
【００２９】
請求項１０に記載の発明は、請求項６に記載の文書入力プログラムであって、前記判断機能は、前記指定手段により指定された範囲の先頭が、音声により入力された文字列か否かを判断し、前記判断機能により、前記指定された範囲の先頭が、音声により入力された文字列ではないと判断された場合は、前記表示制御機能は、前記ペン入力欄を前記表示手段に表示させることを特徴とするものである。
【００３０】
請求項１１に記載の発明は、請求項６乃至請求項１０のいずれかに記載の文書入力プログラムを記録した記録媒体であることを特徴とするものである。
【００３１】
請求項１２に記載の発明は、診療所見レポートに書き込む情報を音声により情報を入力する音声入力手段と、前記音声入力手段により入力された音声を認識処理して文字列に変換する変換手段と、ペン入力により情報を入力するペン入力手段と、前記変換手段により変換された文字列、又は前記ペン入力手段により入力された文字列のうち、少なくとも一方を表示する表示手段と、前記表示手段に表示された文字列の所定の領域を指定する指定手段と、を備えた文書入力装置の文書入力方法であって、前記指定手段により指定された範囲に、音声により入力された文字列が含まれているか否かの判断をする判断ステップと、前記判断ステップにおいて、前記指定された範囲に音声により入力された文字列が含まれていると判断された場合は、前記指定された範囲の文字列を修正するための修正候補一覧を含む修正データを前記表示手段に選択可能に表示するとともに、前記ペン入力手段による情報を入力するためのペン入力欄を前記表示手段に表示し、前記指定された範囲に音声により入力された文字列が含まれていないと判断された場合は、前記ペン入力欄を前記表示手段に表示する表示ステップと、を有することを特徴とする文書入力方法である。
【発明の効果】
【００３２】
請求項１、請求項６、及び請求項１２に記載の発明によると、音声により入力された文書をペン入力で修正することができるため、直感的な作業を可能とし、キーボード入力に馴染みがないユーザの作業負担を軽減することが可能となる。また、修正すべき文書に音声により入力された文字列が含まれている場合は、修正データ（次候補）とペン入力欄とを表示させることにより、修正データ（次候補）を選択したり、ペンにより文字列を入力したりして、修正することが可能となる。いずれにしても、キーボード入力を必要としないため、ユーザの作業負担を軽減することが可能となる。また、修正すべき文書に、音声により入力された文字列が含まれていない場合は、ペン入力欄のみを表示させることとし、ユーザの使用形態に合致させ、文書入力装置の操作性を向上させることが可能となる。
【００３３】
また、請求項３及び請求項８に記載の発明によると、単語ごとに修正データとペン入力欄を表示させることにより、各単語を修正する際においても、キーボード入力を必要とせず、ユーザの作業負担を軽減することが可能となる。
【００３４】
また、請求項４及び請求項９に記載の発明によると、ペン入力による修正がなされた後は、ペン入力欄のみを表示させることにより、ユーザの使用形態に合致させ、文書入力装置の操作性を向上させることが可能となる。ユーザは、一度ペン入力を行うと、文書の最後までペン入力を行うと考えられるためである。
【００３５】
また、請求項５及び請求項１０に記載の発明によると、指定された範囲の先頭が音声により入力された文字列ではない場合はペン入力欄のみを表示させることにより、ユーザの使用形態に合致させ、文書入力装置の操作性を向上させることが可能となる。ユーザは、上述の様に、一度ペン入力を行うと、文書の最後までペン入力を行うと考えられるからである。
【発明を実施するための最良の形態】
【００３６】
（構成）
この発明の実施形態に係る文書入力装置の構成について、図１を参照しつつ説明する。図１は、この発明の実施形態に係る文書入力装置の概略構成を示す機能ブロック図である。
【００３７】
本実施形態に係る文書入力装置１は、音声入力部２、音声認識処理部４、音声認識辞書６、キーボード入力部８、ポインティングデバイス部１０、文字認識処理部１２、制御部１４、表示部１８、指定部２０、検知部２２、比較判断部２４、及びデータ記憶部２６を有して構成されている。
【００３８】
音声入力部２は、マイク（図示しない）を通じて音声を入力する。音声認識処理部４は、音声入力部２によって入力された音声に対して、音声認識辞書６に記憶されている情報を参照して音声認識処理を実行し、その結果を制御部１４に出力し、データ記憶部２６の音声認識結果記憶部２６ｂに記憶させる。音声認識辞書６は、音声入力部２から入力された音声に対して音声認識処理部４が音声認識を行うために必要な各種の情報が記憶されている。また、この音声認識辞書６には、医用に関係する専門用語も記憶されており、医師が音声入力により文書を作成する際にも対応可能となっている。
【００３９】
キーボード入力部８は、キーボード（図示しない）から文字列を入力する。ポインティングデバイス部１０は、ペンやマウス（図示しない）等のポインティングデバイスから文字データを入力したり、認識候補の選択処理でのポインティングの位置やボタン等、各種操作用のデータを入力したりする。文字認識処理部１２は、ポインティングデバイス部１０で入力された文字データに対して、文字認識処理を実行し、その結果を制御部１４に出力する。
【００４０】
制御部１４は、文書入力装置１全体の制御を行なうものであり、制御プログラム（オペレーティングプログラム）や文書作成プログラム（アプリケーションプログラム）等のプログラムを実行する。音声入力部２、キーボード入力部８、及びポインティングデバイス部１０から入力される各種データに基づいて文書作成のために各処理部の動作を制御する。また、各入力部で入力された文字データを合成してデータ記憶部２６に出力する。更に、この制御部１４は、各種データに識別可能な識別情報を付与する。例えば、音声データ、キーデータ、及び文字データが区別されるような識別情報を、各データに付与する。
【００４１】
表示部１８は、ＣＲＴ、ＬＣＤ等の表示装置からなり、音声入力部２やキーボード入力部８等から入力された文字列や、文字列をユーザ（例えば医師）に選択させるための次候補一覧等を表示する。更に、この表示部１８は、タッチパネル方式等が採用されており、ポンティングデバイス部１０又は指定部２０のペン等により画面を押下して表示されている文字列を指定したり、ペン入力欄を表示させて、その欄内に文字を記載することにより、文字データを入力したりすることができる。つまり、この表示部１８は、文字列を表示するだけでなく、文字を入力する手段としても機能する。
【００４２】
指定部２０は、ペンやマウス等のポインディングデバイスからなり、表示部１８に表示されている文字列を指定したり、次候補一覧から文字列を選択したりするものである。ユーザ（例えば医師）は、文字列の中から修正したい部分を指定部２０で指定する。尚、この指定部２０は、ポインティングデバイス部１０と一体となって構成されていても良い。
【００４３】
検知部２２は、指定部２０により指定された部分に含まれる文字列から、識別情報を検知する。各入力部から入力されたデータには、他のデータと識別可能な識別情報が付与されており、検知部２２はその付与された識別情報を検知する。
【００４４】
比較判断部２４は、指定部２０により指定された部分に含まれる文字列に、音声入力部２によって入力された文字列が含まれているか否かの判断を行う。その判断は、検知部２２により検知された識別情報に基づいて行う。また、この比較判断部２４は、指定部２０により指定された部分に、音声入力された複数の単語が含まれているか否かの判断を行う。この判断は、指定部２０により指定された部分に含まれる文節に注目して行われる。この判断手法については、文書入力装置１の動作を説明する際に説明する。
【００４５】
データ記憶部２６は、文書入力装置１によって扱われる各種のデータが記憶されるもので、入力文字列記憶部２６ａと、音声認識結果記憶部２６ｂと、候補一覧記憶部２６ｃとが設けられている。
【００４６】
入力文字列記憶部２６ａは、各入力部から入力された文字列（文書）が記憶されるものである。音声認識結果記憶部２６ｂは、音声入力部２から入力された音声に対する音声認識処理によって得られた音声認識結果（候補）が記憶されるものである。候補一覧記憶部２６ｃは、入力された音声に対して得られた複数の音声認識候補からユーザ（医師）に文字列を選択させるために表示する候補一覧のデータが記憶されるものである。
【００４７】
また、図示しないが、本実施形態に係る文書入力装置には、ＣＰＵ、ＲＯＭ、及びＲＡＭが備えられている。
【００４８】
（作用）
次に、本実施形態に係る文書入力装置の作用について、図２及び図３を参照しつつ説明する。図２は、本実施形態に係る文書入力装置の動作の流れを示すフローチャートである。図３は、表示部に表示される画面の一例である。
【００４９】
まず、音声入力部２によって音声が入力される。例えば、医師が検査画像を読影しながら診療所見レポートを作成するために、読影しながら音声を発する。音声認識処理部４は、入力された音声データを受け取り、音声認識辞書６に記憶されている情報を参照して音声認識処理を実行し、単語毎にそれぞれ複数の音声認識候補とする文字列を求める。そして、その文字データは制御部１４に出力され、その制御部１４にて識別可能な識別情報が付与され、データ記憶部２４の音声認識結果記憶部２６ｂに出力されて、記憶される。また、この文字データは、入力文字列記憶部２４ａにも記憶される。更に、複数の音声認識候補からユーザ（医師）に文字列を選択させるために表示する候補一覧のデータが、候補一覧記憶部２６ｃに記憶される。
【００５０】
一方、音声入力部２からではなく、キーボード入力部８から文字データが入力されると、その文字データは、制御部１４を介して入力文字列記憶部２６ａに出力されて、記憶される。制御部１４は、キーボード入力部８で入力された文字データに対しても、識別可能な識別情報を付与する。また、ポインディングデバイス部１０を用いて文字列が入力されると、その文字データは文字認識処理部１２に出力される。文字認識処理部１２は、入力された文字データを受け取り、文字認識処理を実行し、文字列を求める。そして、その文字列データは制御部１４を介して入力文字列記憶部２６ａに出力されて、記憶される。制御部１４は、ポインティングデバイス部１０で入力された文字データに対しても、識別可能な識別情報を付与する。
【００５１】
尚、各入力部で入力された文字データは、制御部１４にて合成されて入力文字列記憶部２６ａに記憶される。例えば、一部分の文字データは音声入力部２で入力され、他の部分の文字データはポインティングデバイス部１０等で入力された場合は、入力された順番に従ってそれらの文字データが制御部１４にて合成され、入力文字列記憶部２６ａに記憶される。そして、制御部１４は入力文字列記憶部２６ａに記憶された文字列を表示部１８にて表示させる。このとき、音声入力部２により入力された文字列に対しては、各単語の第１番目の認識候補を対象として表示部１８に表示させる。図３に、表示部１８に表示される文字列の例を示す。図３において、文字列１８ａ「解離腔は依然高濃度で、前回と比較して」が上述の動作によって入力され、表示されたものである。
【００５２】
このように音声入力部２、キーボード入力部８、又はペン入力等のポインティングデバイス部１０で入力された文字列を、医師等のユーザが修正する場合は、修正したい文字列をペンやマウス等からなる指定部２０を用いて指定する（ステップＳ０１）。例えば、図３に示すように、修正したい文字列１８ｂ「濃度で、」を指定する。尚、指定部２０はポインティングデバイス部１０に含まれていても良いため、そのような場合は、ポインティングデバイス部１０により修正箇所を指定する。
【００５３】
修正対象となる文字列１８ｂ「濃度で、」が指定されると、指定された箇所の座標データが制御部１４に出力され、制御部１４は、その座標データに対応する文字データを入力文字列記憶部２６ａから検索する。そして、検知部２２は、その文字列１８ｂ「濃度で」内の文字データに付与されている識別情報を検知する（ステップＳ０２）。各入力部にて入力された文字データには、他の入力部にて入力された文字データと区別するための識別情報が付与されているため、検知部２２はその識別情報を検知する。そして、検知された識別情報は、比較判断部２４により、何れの入力部で入力された文字列なのか判断される（ステップＳ０３）。具体的には、音声入力部２で入力された文字列なのか否かが判断される。
【００５４】
そして、比較判断部２４により、指定された文字列１８ｂ「濃度で」内に音声入力部２により入力された文字データが含まれていると判断された場合（ステップＳ０４、Ｙｅｓ）、制御部１４は、その判断を受けて、指定された文字列に対応する複数の音声認識候補を候補一覧記憶部２６ｃから表示部１８に表示させ、更に、ペン入力欄を表示させる（ステップＳ０５）。つまり、指定された文字列１８ｂ「濃度で」に音声入力による文字データが含まれている場合は、図３に示すように、音声認識の次候補１８ｃとペン入力欄１８ｄとが表示部１８に表示される。この音声認識の次候補１８ｃには、音声認識処理部４にて作成された次候補の文字が複数表示されており、医師等のユーザは、ポインティングデバイス部１０や指定部２０のペンを表示部１８に押下したり、マウスで指定したりすることにより、修正したい文字を選択する。
【００５５】
音声認識の次候補１８ｃから文字が選択されると、制御部１４はその指示を受けて、音声認識結果記憶部２６ｂから選択された文字データを検索し、修正箇所の文字と置き換えて表示する（ステップＳ０６）。また、音声認識の次候補１８ｃに希望する文字列が存在しない場合や、音声認識の次候補１８ｃを参照せずにペン入力欄１８ｄで直接、文字を入力したい場合は、ポインティングデバイス部１０のペンを使用して、ペン入力欄１８ｄに直接、文字を入力することもできる（ステップＳ０６）。表示部１８にタッチパネル方式を採用することにより、ペン入力欄１８ｄに文字を直接入力し、入力された文字を文字認識処理部１２にて文字認識処理を実行し、処理された文字が修正箇所の文字と置き換えられる。
【００５６】
一方、比較判断部２４により、指定された文字列１８ｂ「濃度で」内に音声入力部２により入力された文字データが含まれていないと判断された場合（ステップＳ０４、Ｎｏ）、制御部１４は、その判断を受けて、ペン入力欄１８ｄを表示部１８に表示させる（ステップＳ０７）。そして、医師等のユーザは、ペン入力欄１８ｄに直接、文字を入力するか、キーボード入力部８からキーボードを使用して文字を入力する（ステップＳ０８）。このように入力された文字は、修正箇所の文字と置き換えられる。
【００５７】
キーボード入力部８やポインティングデバイス部１０で文字列が入力された場合に、ペン入力欄１８ｄのみを表示させ、音声認識の次候補１８ｃのように次候補欄を表示させないのは、入力されたデータの認識率の差や、入力時における入力ミス等の差によるためである。音声により文字列が入力される場合は、音声から文字への変換の正確性が、キーボード入力部８やポインティングデバイス部１０により入力される場合よりも低いため、音声認識の次候補１８ｃを表示させる必要がある。しかし、キーボード入力部８等による入力の場合は入力や変換の正確性が高いため、次候補欄を表示させる必要がないからである。また、キーボード入力部８やポンティングデバイス部１０で文字列が入力された場合は、ユーザはキーボード入力やペン入力により文字列を修正すると考えられるからである。従って、ペン入力欄１８ｄのみを表示させた方が、ユーザの使用形態に合致し、文書入力装置の操作性を向上させることが可能となる。
【００５８】
以上のように、音声入力で入力された文書（診療所見）をペン入力で修正することにより、直感的な作業を可能とし、キーボード入力に馴染みがないユーザの作業負担を軽減することが可能となる。また、修正すべき文書（診療所見）に、音声により入力された文字列が含まれていない場合は、ペン入力欄のみを表示させることとし、ユーザの使用形態に合致させ、操作性を向上させることが可能となる。
【００５９】
また、音声認識の次候補１８ｃから次候補を選択しないでペン入力欄１８ｄに直接、文字を入力した場合は、音声認識の次候補１８ｃの表示が消され、ペン入力欄１８ｄのみが表示されるように制御する。そして、指定された全ての範囲がペン入力で入力された文字列で置き換えられる。この表示の制御は、制御部１０が行なう。ポインティングデバイス部１０のペンを用いてペン入力が行われると、制御部１０は、表示部１８又はポインティングデバイス部１０から入力信号を受け、その信号に応じて音声認識の次候補１８ｃの表示を消し、ペン入力欄１８ｄのみを表示させる。
【００６０】
医師等のユーザは、一度ペン入力により文書を入力すると、文書の最後までペンによる入力を行うと考えられる。従って、ポインティングデバイス部１０のペンを用いてペン入力を行った場合は、音声認識の次候補１８ｃの表示を消し、ペン入力欄１８ｄのみを表示させた方が、ユーザの使用形態に合致する。このようなユーザの使用状況があるため、上記のように制御している。尚、ペン入力がなされても音声認識の次候補１８ｃを表示させても構わない。
【００６１】
また、指定された範囲に音声入力部２により入力された複数の単語が含まれている場合は、単語ごとに音声認識の次候補１８ｃとペン入力欄１８ｄとを表示部１８に表示させる。この複数の単語の区別は、比較判断部２４が、例えば、文書の文節に注目して判断する。具体的には、「濃度で、」が指定された場合は、その文節には「濃度」と「で」の２つの単語が含まれていると判断される。また、例えば、「解離腔は依然高濃度で、前回と比較して」が指定された場合は、「解離腔」、「は」、「依然」、「高濃度」、「で」、「前回」、「と」、「比較」、「して」のように単語に分割される。
【００６２】
そして、医師等のユーザは、ペンやマウス等のポインティングデバイス部１０で音声認識の次候補１８ｃの中から置き換えるべき文字を選択したり、ペン入力欄１８ｄに直接、文字を入力したりする。そして、選択又はペン入力されると、修正箇所の文字が、選択又はペン入力された文字に置き換えられる。複数の単語が含まれている場合は、その処理を順次行っていくことになるが、一度、ペン入力により文字を入力して修正箇所の文字を置き換えると、それ以降の文字については、全てペン入力で文字を直接入力していくことになり、音声認識の次候補１８ｃの表示は消える。このような処理を行うのは、医師等のユーザは一度ペン入力を行うと、修正箇所の最後までペン入力により文字を入力すると考えられるからである。
【００６３】
また、指定された範囲の文字列において、その先頭の文字が音声入力部２による入力ではない場合は、ペン入力欄１８ｄのみを表示部１８に表示させ、音声認識の次候補１８ｃを表示させないように制御する。例えば、図３に示す文字列において、文字列１８ａがキーボード入力部８又はポインティングデバイス部１０によって入力されたものである場合は、ペン入力欄１８ｄのみを表示させる。この判断は、比較判断部２４が文字に付与されている識別情報に基づいて行う。比較判断部２４により、指定された範囲の文字列の先頭の文字が、音声入力部２以外の入力部によって入力されたと判断されたときは、制御部１４は、その判断を受けて表示部１８にペン入力欄１８ｄのみを表示させる。
【００６４】
指定された文字列が音声入力部２による入力でない場合は、上述のように、ペン入力欄１８ｄのみが表示され、ユーザは、ペン入力欄１８ｄにより修正文字をペン入力する。そして、一度ペン入力し始めると、ユーザは修正箇所の最後までペン入力により文字を入力すると考えられる。従って、指定された文字列の先頭が音声入力ではない場合は、最初にペン入力が行われることになるが、たとえ、途中に音声入力による文字が含まれていても、ペン入力欄１８ｄのみを表示させた方が、ユーザの使用形態に合致し、操作性を向上させることができる。
【００６５】
尚、この実施形態においては、表示部１８にタッチパネル方式等を採用して、表示部１８の画面を押下することにより、次候補を選択したり、文字を入力したりしているが、表示部１８にパッチパネル方式等を採用しなくても構わない。表示部１８の画面からペン入力するのではなく、ポインティングデバイス部１０でペン入力すれば良いからである。
【００６６】
また、この実施形態に係る文書入力装置１は、例えば図４に示す医療システムに用いられる。図４は、この実施形態に係る文書入力装置の１つの利用形態を示す医療システムのブロック図である。
【００６７】
図４に示すように、この医療システム３０は、例えば、デジタルＸ線撮影装置（ＤＲ装置）３２と、ＭＲＩ断層撮影装置３４と、ＣＴ断層撮影装置３６と、Ｘ線画像撮影装置（ＣＲ装置）３８とが含まれている。更に、それらの装置で得られた診断画像を電子データとして保存する画像保存装置４０と、電子データとしての診断画像を表示する画像観察装置４２とが含まれている。これらの装置は、ネットワークＮで接続されており、ＤＲ装置３２等で得られた画像は、ネットワークＮを介して画像保存装置４０に保存され、読影時には画像観察装置４２に表示される。そして、本実施形態に係る文書入力装置１は、このネットワークＮに接続され、医師は、画像観察装置４２に表示される診断画像を読影しながら診療所見レポートを作成する。
【００６８】
この実施形態に係る文書入力装置１を用いることにより、キーボード入力を必要としないため、診断画像の読影に集中することが可能となる。また、席を立って診断画像を読影する場合等のように、キーボード入力が不可能な場合であっても、診療所見レポートを作成及び修正することが可能となる。
【図面の簡単な説明】
【００６９】
【図１】この発明の実施形態に係る文書入力装置の概略構成を示す機能ブロック図である。
【図２】この発明の実施形態に係る文書入力装置の動作を順番に示すフローチャートである。
【図３】この発明の実施形態に係る文書入力装置に設置されている表示部に表示される、文字列を修正するときの画面である。
【図４】この発明の実施形態に係る文書入力装置の１つの利用態様を示す医療システムのブロック図である。
【符号の説明】
【００７０】
１  文書入力装置
２  音声入力部
４  音声認識処理部
６  音声認識辞書
８  キーボード入力部
１０  ポインティングデバイス部
１２  文字認識処理部
１４  制御部
１８  表示部
２０  指定部
２２  検知部
２４  比較判断部
２６  データ記憶部
２６ａ  入力文字列記憶部
２６ｂ  音声認識結果記憶部
２６ｃ  候補一覧記憶部
３０  医療システム
３２  デジタルＸ線撮影装置（ＤＲ装置）
３４  ＭＲＩ断層撮影装置
３６  ＣＴ断層撮影装置
３８  Ｘ線撮影装置（ＣＲ装置）
４０  画像保存装置
４２  画像観察装置
【図１】
2005284834.tif 000003
【図２】
2005284834.tif 000004
【図３】
2005284834.tif 000005
【図４】
2005284834.tif 000006